【事件の表示】
　平成１０年特許願第３４５４０８号「輪転孔版印刷機の給版機構」拒絶査定不服審判事件〔平成１２年　６月２０日出願公開、特開２０００−１６８２２１〕について、次のとおり審決する。
【結　論】
　本件審判の請求は、成り立たない。
【理　由】
第１　手続の経緯
　本願は、平成１０年１２月４日の出願であって、平成２０年３月７日付け拒絶理由通知に対して、同年５月１９日付けで手続補正がされたが、同年７月２２日付けで拒絶査定がなされ、これに対し、同年８月２８日付けで拒絶査定不服の審判が請求されるとともに、同日付けで明細書の手続補正がなされたものである。　
　なお、当審において、平成２０年１０月３１日付けで審査官により作成された前置報告書について、平成２１年８月２６日付けで審尋を行ったところ、審判請求人は同年１０月２１日付けで回答書を提出した。
  　　
第２　平成２０年８月２８日付け手続補正についての補正却下の決定
［補正却下の決定の結論］
　平成２０年８月２８日付け手続補正（以下「本件補正」という。）を却下する。
  　　
［理　由］
１　補正の内容
（１）本件補正は、特許請求の範囲について、
　補正前に、　
「【請求項１】孔版原紙（２）を版胴（１５）側へ搬送する搬送手段（２０，２２，２４）と、孔版原紙（２）を所定長さに切断する切断手段（１６）とを備え、該切断手段（１６）により切断された所定長さの孔版原紙を版胴（１５）へ送り出す輪転孔版印刷機（１０）の給版機構において、
　孔版原紙搬送経路の上側に設けられ、孔版原紙装填時には通常位置から退避可能に構成されたプラテンローラー（２０）と、
　孔版原紙搬送経路の下側に位置し、前記孔版原紙のセット位置を示すサーマルヘッド（３０）と、
　前記サーマルヘッド（３０）の原紙搬送方向下流側に近接して設けられ前記孔版原紙搬送経路を通って搬送される前記孔版原紙を切断する切断手段（１６）と、
　予め決定した所定距離を記憶しておく記憶手段（８６）と、
　孔版原紙（２）の先端を検出する先端検出手段（６）と、
　先端が前記セット位置に配置された前記孔版原紙を上記搬送手段（２０，２２，２４）により孔版原紙（２）を搬送させ、搬送中の孔版原紙（２）の先端を上記先端検出手段（６）により検出したとき、さらに上記所定距離だけ孔版原紙（２）を搬送させた後に上記搬送手段（２０，２２，２４）による孔版原紙（２）の搬送を停止させ、前記孔版原紙先端を基準位置に位置決めする先端位置決め制御を行う搬送制御手段（８０）とを備えたことを特徴とする、輪転孔版印刷機の給版機構。
【請求項２】孔版原紙（２）の装填完了を検出する装填完了検出手段（８）を備え、
　上記搬送制御手段（２０，２２，２４）は、上記装填完了検出手段（８）により孔版原紙（２）の装填完了を検出したときに、上記先端位置決め制御を開始することを特徴とする、請求項１記載の輪転孔版印刷機の給版機構。
【請求項３】上記装填完了検出手段（８）は、退避したプラテンローラ（２０）が通常位置に復帰したとき、孔版原紙（２）の装填完了を検出することを特徴とする、請求項２記載の輪転孔版印刷機の給版機構。
【請求項４】操作者が切断指示操作を行う指示操作手段（９）と、
　該指示操作手段（９）が操作者からの切断指示操作を受けたときに、上記切断手段（１６）により孔版原紙（２）を切断させる切断制御手段（８０）とを備えたことを特徴とする、請求項２又は３記載の輪転孔版印刷機の給版機構。
【請求項５】孔版原紙搬送経路に沿って上記切断手段（１６）より版胴（１５）側に配置され、孔版原紙（２）の先端が孔版原紙搬送方向に対して直交方向から傾いているか否かを検知する斜行検知手段（１０１，１０２）と、
　該斜行検知手段（１０１，１０２）により孔版原紙（２）の先端が孔版原紙搬送方向に対して直交方向から傾いていると検知されたときに、上記搬送手段（２０，２２，２４）による孔版原紙（２）の搬送を停止した状態で上記切断手段（１６）を動作させて孔版原紙（２）を切断させ、警告を発する斜行警告手段（７０，８０）とを備えたことを特徴とする、請求項１記載の輪転孔版印刷機の給版機構。
【請求項６】請求項１〜５のいずれか１つに記載の輪転孔版印刷機の給版機構を備えた、輪転孔版印刷機。」とあったものを、
    　　　　　
「【請求項１】孔版原紙（２）を版胴（１５）側へ搬送する搬送手段（２０，２２，２４）と、孔版原紙（２）を所定長さに切断する切断手段（１６）とを備え、該切断手段（１６）により切断された所定長さの孔版原紙を版胴（１５）へ送り出す輪転孔版印刷機（１０）の給版機構において、
　孔版原紙搬送経路の上側に設けられ、孔版原紙装填時には通常位置から退避可能に構成されたプラテンローラー（２０）と、
　孔版原紙搬送経路の下側に位置し
その版胴側端位置が前記孔版原紙のセット位置として示された構成を有するサーマルヘッド（３０）
　
前記セット位置の原紙搬送方向下流側に近接して設けられ
　予め決定した所定距離を記憶しておく記憶手段（８６）と、
　孔版原紙（２）の先端を検出する先端検出手段（６）と、
　
その先端が前記セット位置に一致するように配置された
【請求項２】孔版原紙（２）の装填完了を検出する装填完了検出手段（８）を備え、
　上記搬送制御手段（２０，２２，２４）は、上記装填完了検出手段（８）により孔版原紙（２）の装填完了を検出したときに、上記先端位置決め制御を開始することを特徴とする、請求項１記載の輪転孔版印刷機の給版機構。
【請求項３】上記装填完了検出手段（８）は、退避したプラテンローラー（２０）が通常位置に復帰したとき、孔版原紙（２）の装填完了を検出することを特徴とする、請求項２記載の輪転孔版印刷機の給版機構。
【請求項４】操作者が切断指示操作を行う指示操作手段（９）と、
　該指示操作手段（９）が操作者からの切断指示操作を受けたときに、上記切断手段（１６）により孔版原紙（２）を切断させる切断制御手段（８０）とを備えたことを特徴とする、請求項２又は３記載の輪転孔版印刷機の給版機構。
【請求項５】孔版原紙搬送経路に沿って上記切断手段（１６）より版胴（１５）側に配置され、孔版原紙（２）の先端が孔版原紙搬送方向に対して直交方向から傾いているか否かを検知する斜行検知手段（１０１，１０２）と、
　該斜行検知手段（１０１，１０２）により孔版原紙（２）の先端が孔版原紙搬送方向に対して直交方向から傾いていると検知されたときに、上記搬送手段（２０，２２，２４）による孔版原紙（２）の搬送を停止した状態で上記切断手段（１６）を動作させて孔版原紙（２）を切断させ、警告を発する斜行警告手段（７０，８０）とを備えたことを特徴とする、請求項１記載の輪転孔版印刷機の給版機構。
【請求項６】請求項１〜５のいずれか１つに記載の輪転孔版印刷機の給版機構を備えた、輪転孔版印刷機。」に補正するものである（下線は審決で付した。以下同じ。）。
      　　　
（２）本件補正は、以下の補正内容ア乃至ウを含むものである。
　ア　本件補正前の請求項１に係る発明を特定するために必要な事項である「サーマルヘッド」について
　補正前に「前記孔版原紙のセット位置を示すサーマルヘッド」とあったものを「
その版胴側端位置が
として示された構成を有する
  　    　
　イ　本件補正前の請求項１に係る発明を特定するために必要な事項である「切断手段」について
　補正前に「前記サーマルヘッド（３０）の原紙搬送方向下流側に近接して設けられ」とあったものを「
前記セット位置の
    　　　　　　
　ウ　本件補正前の請求項１に係る発明を特定するために必要な事項である「孔版原紙」について
　補正前に「先端が前記セット位置に配置された前記孔版原紙」とあったものを「その先端が前記セット位置に
一致するように
    　　　　　　　　　　
２　補正の目的
（１）上記補正内容ア
　補正前の「前記孔版原紙のセット位置を示す」との発明特定事項を「その版胴側端位置が前記孔版原紙のセット位置として示された
構成を
限定的減縮を目的とする補正
    　　
（２）上記補正内容イ
　切断手段が設けられる位置について、補正前に「
前記サーマルヘッド（３０）の
前記セット位置の
　　
（３）上記補正内容ウ
　孔版原紙とセット位置との関係について、補正前に「先端が前記セット位置に
配置された
その
一致するように配置された
一致するように
　      　
（４）そうすると、本件補正は、全体として、平成１４年法律第２４号改正附則第２条第１項によりなお従前の例によるとされる同法による改正前の特許法第１７条の２第４項第２号に掲げる
特許請求の範囲の減縮を目的
　　　　　　　　　　　　　
３　独立特許要件
（１）本件補正発明
　本件補正発明を再掲すると、以下のとおりである。
「【請求項１】孔版原紙（２）を版胴（１５）側へ搬送する搬送手段（２０，２２，２４）と、孔版原紙（２）を所定長さに切断する切断手段（１６）とを備え、該切断手段（１６）により切断された所定長さの孔版原紙を版胴（１５）へ送り出す輪転孔版印刷機（１０）の給版機構において、
　孔版原紙搬送経路の上側に設けられ、孔版原紙装填時には通常位置から退避可能に構成されたプラテンローラー（２０）と、
　孔版原紙搬送経路の下側に位置しその版胴側端位置が前記孔版原紙の
セット位置として示された構成を有する
　前記セット位置の原紙搬送方向下流側に近接して設けられ前記孔版原紙搬送経路を通って搬送される前記孔版原紙を切断する切断手段（１６）と、
　予め決定した所定距離を記憶しておく記憶手段（８６）と、
　孔版原紙（２）の先端を検出する先端検出手段（６）と、
　その先端が前記セット位置に一致するように配置された前記孔版原紙を上記搬送手段（２０，２２，２４）により孔版原紙（２）を搬送させ、搬送中の孔版原紙（２）の先端を上記先端検出手段（６）により検出したとき、さらに上記所定距離だけ孔版原紙（２）を搬送させた後に上記搬送手段（２０，２２，２４）による孔版原紙（２）の搬送を停止させ、前記孔版原紙先端を基準位置に位置決めする先端位置決め制御を行う搬送制御手段（８０）とを備えたことを特徴とする、輪転孔版印刷機の給版機構。」
　　　　　　　　　                 　　
（２）発明の明確性
　本件補正発明が明確であるか否かについて検討する。 
　ア　本件補正後の請求項１の中段には「孔版原紙搬送経路の下側に位置しその版胴側端位置が前記孔版原紙の
セット位置として示された構成を有する
     　　　
　イ　上記記載の「セット位置として示された構成を有する」との文言は、「セット位置であることを指し示す（ことが分かる）構造である」と解するのが自然であるが、それがどのような構成であるのか全く不明であり、サーマルヘッドの構成を明確に把握することができない。
　また、請求項１の他の記載を見ても、どのような構成のサーマルヘッドでれあれば「セット位置として示された構成を有する」ことになるのかも全く不明である。
　  　　　　　
　ウ　したがって、本件補正後の請求項１の「輪転孔版印刷機の給版機構」を明確に把握することができない。 
      　　
（３）新規事項
　ア　上記「補正内容ア」の補正の根拠について、 審判請求書の「（３−１）　補正の根拠の明示」において「（ａ）請求項１について、サーマルヘッドが、その版胴側端位置が前記孔版原紙のセット位置として示された構成を有することを追加した。当該補正事項は、出願当初の明細書の段落００３５における『孔版原紙２の先端をセット位置Ｓ、すなわちサーマルヘッド３０の版胴側端に合わせた後』の記載に基づくものである。また、サーマルヘッドのどの部分がセット位置であるかを明確にするものであるから、
限定的減縮を目的とする補正である
具体的かつ特別な構造を有する
　　　　　　
　イ　ところで、請求人が指摘する段落００３５は、サーマルヘッドの先端に孔版原紙の先端を合わせた後に孔版原紙を搬送し、その先端を「基準位置Ｗ」に位置決めするまでの手順を説明した箇所であり、サーマルヘッド自体の構造に関する記載ではない。
　  　
　ウ　このことを踏まえると、請求人の上記主張は、サーマルヘッドの版胴側端のことを「セット位置」と呼び、このセット位置に孔版原紙の先端を合わせること、つまり、サーマルヘッド自体の構造が具体的かつ特別な構造であるという趣旨ではなく、孔版原紙をセットする際に、孔版原紙の先端をサーマルヘッドの版胴側端（セット位置）にあわせるという、
手順上の約束事
具体的かつ特別な構造を有する
                              　　　　　
　エ　
仮に、請求人の主張が解釈Ａを意味しているとすると、
　　　　　　　　　　　　
（４）進歩性
　かりに、上記「（２）発明の明確性」で指摘した要件は、当業者であれば、本件補正発明を明確に把握できるとしても、 以下のとおり、本件補正は却下すべきものである。 
　　　　　　　　　　　　
　ア　審判請求書において、補正の根拠が本願明細書の「孔版原紙２の先端をセット位置Ｓ、すなわちサーマルヘッド３０の版胴側端に合せた後」（【００３５】）であると説明していることから、本件補正発明は、サーマルヘッドについて、少なくとも「その版胴側端位置が孔版原紙の先端と
位置あわせされる
　　            　　
「【請求項１】孔版原紙（２）を版胴（１５）側へ搬送する搬送手段（２０，２２，２４）と、孔版原紙（２）を所定長さに切断する切断手段（１６）とを備え、該切断手段（１６）により切断された所定長さの孔版原紙を版胴（１５）へ送り出す輪転孔版印刷機（１０）の給版機構において、
　孔版原紙搬送経路の上側に設けられ、孔版原紙装填時には通常位置から退避可能に構成されたプラテンローラー（２０）と、
　孔版原紙搬送経路の下側に位置し
その版胴側端位置が孔版原紙の先端と位置あわせされるサーマルヘッド（３０）
　前記セット位置の原紙搬送方向下流側に近接して設けられ前記孔版原紙搬送経路を通って搬送される前記孔版原紙を切断する切断手段（１６）と、
　予め決定した所定距離を記憶しておく記憶手段（８６）と、
　孔版原紙（２）の先端を検出する先端検出手段（６）と、
　その先端が前記セット位置に一致するように配置された前記孔版原紙を上記搬送手段（２０，２２，２４）により孔版原紙（２）を搬送させ、搬送中の孔版原紙（２）の先端を上記先端検出手段（６）により検出したとき、さらに上記所定距離だけ孔版原紙（２）を搬送させた後に上記搬送手段（２０，２２，２４）による孔版原紙（２）の搬送を停止させ、前記孔版原紙先端を基準位置に位置決めする先端位置決め制御を行う搬送制御手段（８０）とを備えたことを特徴とする、輪転孔版印刷機の給版機構。」
　　　　　　　　　　　
　イ　刊行物記載の発明
　原査定の拒絶の理由に引用された「本願出願前に頒布された刊行物である特開平０７−１３２６７２号公報（以下「引用文献１」という。）」には、図とともに以下の事項が記載されていると認められる。
　　　　　　　　　　　　　
（ア）「【請求項１】 孔版原紙の先端が製版手段より版胴へ向かう孔版原紙通路に位置すべく孔版原紙の初期セットが行われる孔版印刷装置において、
　正逆駆動されて孔版原紙を前記製版手段より版胴へ向かう正送りと前記製版手段の側に戻す逆送りとを選択的に行う
原紙搬送手段
　前記
孔版原紙通路
孔版原紙センサ
　
孔版原紙の初期セット時に前記孔版原紙センサが孔版原紙の存在を検出していない場合は前記孔版原紙センサが孔版原紙の先端の通過を検出して当該孔版原紙の先端が所定位置に位置するまで前記原紙搬送手段により孔版原紙を正送り
制御手段
を有していることを特徴とする
孔版印刷装置
　　　　　　　
（イ）「本発明は、孔版印刷装置に関し、特に製版手段を有し、孔版原紙の先端が
製版手段より版胴へ向かう孔版原紙通路
　　　　
（ウ）「
孔版原紙の初期位置決め時に孔版原紙の先端切断片が発生することがなく
　　　
（エ）「 図１は本発明による孔版印刷装置の一実施例を示している。図において、
符号１は円筒状の版胴
　　　　　　　　　　　　　
（オ）「【００１５】
サーマルベッド１１
プラテンローラ１３
【００１６】プラテンローラ１３は、プーリ４９、タイミングベルト５１、プーリ５３によりステップモータ製の書き込み送りモータ５５と駆動連結され、書き込み送りモータ５５によって正逆回転駆動される。
第一原紙送りローラ１５
【００１７】
第二原紙送りローラ１９
第三原紙送りローラ３３
【００１８】第二原紙送りローラ１９とプーリ６１との間および第三原紙送りローラ３３とプーリ７１との間には各々ワンウェイクラッチ７３、７５が設けられており、ワンウェイクラッチ７３、７５は各々、第二原紙送りローラ１９、第三原紙送りローラ３３の図にて反時計廻り方向、即ち逆送り方向の回転を自由に許す。
【００１９】本体フレーム側には、圧板カバー３９が図示されている如き閉じ位置にある場合にオン状態になる圧板カバースイッチ７７が設けられている。
【００２０】
原紙カッタ２７
孔版原紙Ｓの有無を検出するマスタセツトセンサ（孔版原紙センサ）７９
【００２１】また第三原紙送りローラ３３およびピンチローラ３５の配置部より版胴１の着版開始部へ至る孔版原紙通路の途中には光学式に
孔版原紙Ｓの有無を検出するマスタ送りセンサ８１
　　　　           　
（カ）「図３は上述の如き構成よりなる
孔版印刷装置の原紙供給部
ＣＰＵ１０１と、制御プログラムを格納したＲＯＭ１０３
　　　    　
（キ）「【００２７】原紙ロール保持部７に対する孔版原紙Ｓのロール体Ｒの初期セットは、圧板カバー３９が上方へ回動された開き状態にて行われ、このロール体Ｒの
初期セット時
原紙案内下板２９上に到達するまで孔版原紙Ｓを手送りする
【００２８】この孔版原紙Ｓの初期セットが完了すると、圧板カバースイッチ７７がオン状態になること、即ち圧板カバー３９が図１に示されている如き閉じ位置に戻されたことを監視する（ステップ１０）。      
【００２９】圧板カバースイッチ７７がオン状態になると、製版ソレイド４７がオンし（ステップ２０）、
サーマルベッド１１がプラテンローラ１３に押し付けられる
【００３０】製版ソレイド４７がオンしてから、所定時間Ｔｓｅｔ1 （５００ｍ  ｓｅｃ程度）が経過すると（ステップ３０）、次にマスタセットセンサ７９がオン状態、即ち
マスタセットセンサ７９の配置部まで孔版原紙Ｓが手送りされているか否かを判別する
　　　　　　　　　　  　
（ク）「【００４０】ステップ４０において、マスタセットセンサ７９がオン状態でない場合、
即ち孔版原紙Ｓの先端がマスタセットセンサ７９の配置位置より手前に位置する状態にて孔版原紙Ｓの初期セットが行われた場合には、
マスタセットセンサ７９がオン状態になってから、所定駆動ステップＳｓｅｔ3 だけ引き続き書き込みモータ５５と着版送りモータ６７が正回転駆動されたのち
孔版原紙Ｓの先端が所定位置に位置する
【００４１】この場合、マスタセットセンサ７９がオン状態になってから、
所定駆動ステップＳｓｅｔ3 だけ引き続き書き込みモータ５５と着版送りモータ６７の正回転駆動して孔版原紙Ｓの正送りを続ける
    　
（ケ）「孔版原紙の送りだけで、孔版原紙の先端が所定位置に位置する
孔版原紙の初期位置決めが確実に行われる
　
（コ）上記（キ）より、原紙ロール体の初期セット時には、「圧板カバー」は上方へ回動された開き状態であることから、サーマルヘッドも初期セット時には上方へ回動されることになる。
　　　　　　　　　　
（サ）図１から、原紙供給部の孔版原紙通路の上側に「サーマルヘッド１１」が、下側に「プラテンローラ１３」の設けられていること、及び「原紙カッタ２７」は、サーマルヘッドの原紙搬送方向下流側に設けられていることが看取される。
  　           　
（シ）上記（ク）の「マスタセットセンサ７９」がオン状態になってからの「所定駆動ステップＳｓｅｔ3 」は制御系により実行されるものであり、上記（カ）の「この制御系は、マイクロプロセッサなどにより構成された
ＣＰＵ１０１
ＲＯＭ１０３
    　
（ス）上記（エ）の「図において、
符号１は円筒状の版胴
        　　　
　以上のことから、引用文献１には、以下の発明が記載されているものと認めることができる（以下「引用発明」という。）。
           
「孔版原紙を製版手段より版胴へ搬送する
原紙搬送手段
  原紙搬送方向下流側に近接して設けられた
原紙カッタ
原紙供給部
　孔版原紙通路の上側に設けられ、原紙ロール体の初期セット時には上方に回動される
サーマルヘッド
  孔版原紙通路の下側に設けられた
プラテンローラ
　サーマルヘッドの原紙搬送方向下流側に設けられた
原紙カッタ
　予め決定した所定距離を記録しておく
記録手段
　孔版原紙の有無を検出する
孔版原紙センサ
  孔版原紙の初期セット時に前記孔版原紙センサが孔版原紙の存在を検出していない場合は前記孔版原紙センサが孔版原紙の先端の通過を検出して当該孔版原紙の先端が所定位置に位置するまで前記原紙搬送手段により孔版原紙を搬送するように制御する
制御手段
を有する輪転孔版印刷装置の原紙供給部。」
          　　　　　　　　　　
　ウ　本件補正発明と引用例発明との対比
（ア）引用発明の「原紙搬送手段」は本件補正発明の「搬送手段」に相当し、同様に、「原紙供給部」は「給版機構」に、「孔版原紙通路」は「孔版原紙搬送経路」に、「原紙ロール体の初期セット時」は「孔版原紙装填時」に、「所定位置」は「基準位置」に相当する。
    　
（イ）引用発明の「孔版原紙センサ」は、孔版原紙の先端を検知し得るものである。
　してみれば、引用発明の「孔版原紙の有無を検出する孔版原紙センサ」は本件補正発明の「孔版原紙（２）の先端を検出する先端検出手段（６）」に相当する。
　　　
（ウ）引用発明の「サーマルヘッド」は、原紙ロール体の初期セット時に上方に回動されるものであるから、「孔版原紙装填時には通常位置から退避可能に構成された」ものであるといえる。
　してみると、引用発明の「孔版原紙通路の上側に設けられ、原紙ロール体の初期セット時には上方に回動される
サーマルベッド
本件補正発明の「孔版原紙搬送経路の上側に設けられ、孔版原紙装填時には通常位置から退避可能に構成された
プラテンローラー
「孔版原紙搬送経路の上側に設けられ、孔版原紙装填時には通常位置から退避可能に構成された
上側部材
　　　　　　　　　
（エ）引用発明の「孔版原紙通路の下側に設けられた
プラテンローラ
サーマルヘッド
「孔版原紙搬送経路の下側に位置する
下側部材
    　　　
（オ） 引用発明の「原紙カッタ」は、孔版原紙搬送経路を通って搬送される孔版原紙を切断するものである。　
　してみると、引用発明の「サーマルヘッドの原紙搬送方向下流側に設けられた原紙カッタ」と、　　
本件補正発明の「前記セット位置の原紙搬送方向下流側に
近接して
「サーマルヘッドの原紙搬送方向下流側に設けられ前記孔版原紙搬送経路を通って搬送される前記孔版原紙を切断する切断手段」という点で共通する。
　　　
（カ）引用発明の「制御手段」は、孔版原紙の先端を基準位置に位置決めするものであることから、本件補正発明の「先端位置決め制御を行う搬送制御手段」に相当する。　
　してみれば、引用発明の「
孔版原紙の初期セット時に
本件補正発明の「
その先端が前記セット位置に一致するように配置された
「
セット時に配置された
        　
　以上のことから、本件補正発明と引用発明とは、以下の点で一致する。
「孔版原紙を版胴側へ搬送する搬送手段と、孔版原紙を所定長さに切断する切断手段とを備え、該切断手段により切断された所定長さの孔版原紙を版胴へ送り出す輪転孔版印刷機の給版機構において、　
　孔版原紙搬送経路の上側に設けられ、孔版原紙装填時には通常位置から退避可能に構成された
上側部材
　孔版原紙搬送経路の下側に位置する
下側部材
　サーマルヘッドの
原紙搬送方向下流側に設けられ
　予め決定した所定距離を記憶しておく記憶手段と、　
　孔版原紙の先端を検出する先端検出手段と、　
　
セット時に配置された前記孔版原紙
　　　　　　　
　一方、本件補正発明と引用発明とは、以下の点で相違する。
　＜相違点１＞
　上側部材に関し
　本件補正発明が「プラテンローラー」であり、かつ、「孔版原紙装填時には通常位置から退避可能に構成された」と特定されるものであるのに対して、引用発明が「サーマルヘッド」である点。
  　
　＜相違点２＞
　下側部材に関し
　本件補正発明が「その版胴側端位置が孔版原紙の先端と位置あわせされるサーマルヘッド」と特定されるものであるのに対して、引用発明が「プラテンローラ」である点。
　      　
　＜相違点３＞
　切断手段が設けられる位置に関し
　本件補正発明が「セット位置の原紙搬送方向下流側に近接して設けられ」と特定されるものであるのに対して、引用発明では上記特定を有していない点。
　       　
　＜相違点４＞　　
　セット時に配置された孔版原紙に関し
　本件補正発明が「その先端が前記セット位置に一致するように配置された前記孔版原紙」と特定されるものであるのに対して、引用発明では上記特定を有していない点。
      　
　エ　判断
　上記相違点について検討する。
　＜相違点１＞及び＜相違点２＞について
（ア）孔版原紙搬送経路の
上側にプラテンローラーを下側にサーマルヘッド
プラテンローラーを揺動自在
    　  　
（イ）また、孔版印刷装置における孔版原紙のセット時に、孔版原紙の先端をサーマルヘッドとプラテンローラとの間に挟み込むように位置合わせすることは、本願出願前に周知である（例えば、特開平０９−２９０５５３号公報の【００２４】、特開平０９−０７１０３２号公報の【００１６】、特開平０９−０５７９３８号公報の【００８１】、特開平０６−０３２０４０号公報の【００１９】、特開平０４−０９０３７４号公報の第２頁左下欄、実願平０２−１１６２４７号（実開平０４−０７３５７５号）のマイクロフィルムの第２頁を参照。以下「周知技術２」という。）。
　    　
（ウ）してみれば、引用発明において、上側部材を揺動自在な「プラテンローラー」とし、下側部材を「サーマルヘッド」とするとともに、孔版原紙の先端をサーマルヘッドとプラテンローラとの間に挟み込むように位置合わせすることは、当業者が容易に想到し得ることであり、その際、孔版原紙の先端をサーマルヘッドの版胴側端位置に合わせるようにすることは、適宜なし得る設計事項である。
　      　
（エ）以上のことから、引用発明において、上記＜相違点１＞及び＜相違点２＞に係る本件補正発明の構成を採用することは、当業者が容易になし得たことである。
　　　
　＜相違点３＞について
（ア）引用発明が上記＜相違点１＞及び＜相違点２＞に係る本件補正発明の構成を採用した結果、引用発明の「切断手段」は「セット位置の原紙搬送方向下流側に設けられ」ことになり、その際、「切断手段」をセット位置の原紙搬送方向下流側に
近接して
　  　
（イ）以上のことから、引用発明において、上記＜相違点３＞に係る本件補正発明の構成を採用することは、当業者が容易になし得たことである。
  　
　＜相違点４＞について
（ア）引用発明が上記＜相違点１＞及び＜相違点２＞に係る本件補正発明の構成を採用した結果、引用発明の「孔版原紙」は「その先端が前記セット位置に一致するように配置された前記孔版原紙」ということになる。
　                       　
（イ）以上のことから、引用発明において、上記＜相違点４＞に係る本件補正発明の構成を採用することは、当業者が容易になし得たことである。
    　
　また、本件補正発明の奏する効果は、引用発明、周知技術１及び周知技術２より、当業者が予測し得る範囲内のものである。
　　    
（５）独立特許要件についてのまとめ　
　上記「（２）発明の明確性」及び「（４）進歩性」に記載したとおり、本件補正は、平成１８年法律第５５号改正附則第３条第１項によりなお従前の例によるとされる同法による改正前の
特許法第１７条の２第５項において準用する同法第１２６条第５項の規定
　　　　　　　　　　 
４　小括 
　本件補正発明は、平成１８年法律第５５号改正附則第３条第１項によりなお従前の例によるとされる同法による改正前の
特許法第１７条の２第５項において準用する同法第１２６条第５項の規定
　　　   　
　また、上記「（３）新規事項」で指摘したように、仮に、請求人の主張が解釈Ａを意味しているとすると、本件補正は、平成１４年法律第２４号改正附則第３条第１項によりなお従前の例によるとされる同法による改正前の
特許法第１７条の２第３項の規定
　　　　　　　　　　　　　
第３　本件審判請求についての判断 
１　本願発明  
　ア　平成２０年８月２８日付け手続補正は上記のとおり却下されたので、本願の請求項１乃至６に記載された発明は、平成２０年５月１９日付け手続補正後の明細書及び図面からみて、上記「１　補正の内容（１）」において、本件補正前の特許請求の範囲の請求項１乃至６として記載されたとおりのものであり、その請求項１に係る発明を、以下「本願発明」という。
   　　
　イ　本願発明における「
前記孔版原紙のセット位置を示すサーマルヘッド
　上記「第２　平成２０年８月２８日付け手続補正についての補正却下の決定　３　独立特許要件（４）進歩性　ア」において、本件補正発明の「その版胴側端位置が前記孔版原紙のセット位置として示された構成を有するサーマルヘッド」を、少なくとも「その版胴側端位置が孔版原紙の先端と
位置あわせされる
位置あわせされる
  　　
　ウ　上記イの解釈を踏まえて、本願発明を再掲すると、以下のとおりである。
　　　
「【請求項１】孔版原紙（２）を版胴（１５）側へ搬送する搬送手段（２０，２２，２４）と、孔版原紙（２）を所定長さに切断する切断手段（１６）とを備え、該切断手段（１６）により切断された所定長さの孔版原紙を版胴（１５）へ送り出す輪転孔版印刷機（１０）の給版機構において、
　孔版原紙搬送経路の上側に設けられ、孔版原紙装填時には通常位置から退避可能に構成されたプラテンローラー（２０）と、
　孔版原紙搬送経路の下側に位置し、
その版胴側端位置が孔版原紙の先端と位置あわせされるサーマルヘッド
　前記サーマルヘッド（３０）の原紙搬送方向下流側に近接して設けられ前記孔版原紙搬送経路を通って搬送される前記孔版原紙を切断する切断手段（１６）と、
　予め決定した所定距離を記憶しておく記憶手段（８６）と、
　孔版原紙（２）の先端を検出する先端検出手段（６）と、
　先端が前記セット位置に配置された前記孔版原紙を上記搬送手段（２０，２２，２４）により孔版原紙（２）を搬送させ、搬送中の孔版原紙（２）の先端を上記先端検出手段（６）により検出したとき、さらに上記所定距離だけ孔版原紙（２）を搬送させた後に上記搬送手段（２０，２２，２４）による孔版原紙（２）の搬送を停止させ、前記孔版原紙先端を基準位置に位置決めする先端位置決め制御を行う搬送制御手段（８０）とを備えたことを特徴とする、輪転孔版印刷機の給版機構。」
　    　　　　　  　
２　引用刊行物の発明
 原査定の拒絶の理由に引用された刊行物の記載事項及び引用刊行物の発明は、上記「第２　平成２０年８月２８日付け手続補正についての補正却下の決定　３　独立特許要件（４）進歩性　イ　刊行物記載の発明」に記載したとおりである。
　　　　　　　　　　　　　　　　　　　　　　　　　　　　　　　　　
３　本願発明と引用発明との対比・判断
（１）本願発明と引用発明とは、以下の点で一致する。
「孔版原紙を版胴側へ搬送する搬送手段と、孔版原紙を所定長さに切断する切断手段とを備え、該切断手段により切断された所定長さの孔版原紙を版胴へ送り出す輪転孔版印刷機の給版機構において、
　孔版原紙搬送経路の上側に設けられ、孔版原紙装填時には通常位置から退避可能に構成された上側部材と、
　
孔版原紙搬送経路の下側に位置する下側部材
　前記サーマルヘッドの原紙搬送方向下流側に設けられ前記孔版原紙搬送経路を通って搬送される前記孔版原紙を切断する切断手段と、
　予め決定した所定距離を記憶しておく記憶手段と、
　孔版原紙の先端を検出する先端検出手段と、
　セット時に配置された前記孔版原紙を上記搬送手段により孔版原紙を搬送させ、搬送中の孔版原紙の先端を上記先端検出手段により検出したとき、さらに上記所定距離だけ孔版原紙を搬送させた後に上記搬送手段による孔版原紙の搬送を停止させ、前記孔版原紙先端を基準位置に位置決めする先端位置決め制御を行う搬送制御手段とを備えた輪転孔版印刷機の給版機構。」
   　　
（２）一方、本願発明と引用発明とは、以下の点で相違する。
　＜相違点１’＞
　上側部材に関し
　本願発明が「プラテンローラー」であり、かつ、「孔版原紙装填時には通常位置から退避可能に構成された」と特定されるものであるのに対して、引用発明が「サーマルヘッド」である点。
  　
　＜相違点２’＞
　下側部材に関し
　本願発明が「その版胴側端位置が孔版原紙の先端と位置あわせされるサーマルヘッド」と特定されるものであるのに対して、引用発明が「プラテンローラ」である点。
　      　
　＜相違点３’＞
　切断手段が設けられる位置に関し
　本願発明が「サーマルヘッドの原紙搬送方向下流側に
近接して
　  　
　＜相違点４’＞
　セット時に配置された孔版原紙に関し
　本願発明が「先端が前記セット位置に配置された」と特定されるものであるのに対して、引用発明では上記特定を有していない点。
  　          　
（３）判断
　ア　上記＜相違点１’＞及び＜相違点２’＞の判断については、上記「第２　平成２０年８月２８日付け手続補正についての補正却下の決定　３　独立特許要件（４）進歩性　エ　判断」を参照。
      　
　イ　また、上記＜相違点３’＞及び＜相違点４’＞は、実質的に、上記「第２　平成２０年８月２８日付け手続補正についての補正却下の決定　３　独立特許要件（４）進歩性　エ　判断」における ＜相違点３＞及び＜相違点４＞と同じであるから、同様に、当業者が容易になし得たことである。
    　
　ウ　したがって、本願発明は、引用刊行物に記載された発明及び周知技術に基いて、当業者が容易に発明をすることができたものである。
　　　　　　　　　　　　　　　　　　　　　　　　　　　　　　
４　結論
 　以上のとおり、本願発明は、引用刊行物に記載された発明及び周知技術に基いて、当業者が容易に発明をすることができたものであるから、特許法第２９条第２項の規定により特許を受けることができない。 
　よって、結論のとおり審決する。